(57)【要約】【課題】丸編み機で一体に編成された靴下の足部の左右の形状を、人間の足の形状に合致するようにし、これと同時に、靴下の足部と脚部との屈曲角度を、人間の足と脚とのなす角度に近づける。【解決手段】靴下１の足部４０の、かかと部３０に対して所定の間隔をあけて近接する箇所の足甲側と足裏側のうち足裏側にのみ、丸編み機のシリンダを往復動させることで編成される継ぎ足し領域４１を設ける。この継ぎ足し領域４１において、足部４０の親指側（内側）の側面の面積が、足部の小指側（外側）の側面の面積よりも大きく編成する。親指側の側面のほうが小指側の側面よりも面積が大きい人間の足の形状に合致している。足部の足裏側にのみ継ぎ足し領域４１を設けたため、足部４０の脚部２０に対する屈曲角度が大きくなって、人間の足と脚のなす角度である垂直へと近づく。【選択図】図１
2015030958.tif 000002
【特許請求の範囲】
【請求項１】
丸編み機により履き口、脚部、かかと部、足部およびつま先部が一体に編成されており、
前記足部は、前記丸編み機のシリンダを往復動させることで編成される継ぎ足し領域を、前記かかと部に近接しかつかかと部から離間した箇所の足甲側および足裏側のうち足裏側にのみ有し、
前記継ぎ足し領域は、
前記足部の親指側の側面の面積が、前記足部の小指側の側面の面積よりも大きい靴下。
【請求項２】
前記継ぎ足し領域は、
前記足部の親指側の側面でかかと部からつま先部に向けてウェール方向の目数が増加しており、
前記足部の小指側の側面でかかと部からつま先部に向けてまずウェール方向の目数が増加し次いでウェール方向の目数が減少している請求項１に記載の靴下。
【発明の詳細な説明】
【技術分野】
【０００１】
本発明は、人間の足の形状に合致するように丸編み機で一体に編成された靴下に関する。
【背景技術】
【０００２】
丸編み機により、履き口、脚部、かかと部、足部およびつま先部を一体に編成した靴下が市販されている。丸編み機による編成の際には、履き口、脚部および足部は丸編み機のシリンダを一方向に連続回転させることで筒型に形成され、かかと部およびつま先部は丸編み機のシリンダを約半周で往復動させることで椀型に形成される。
そのような丸編み機で編成された靴下として、特許文献１のように、つま先部を左右で非対称形としたり、かかと部を左右で非対称形としたりして、内側（親指側）と外側（小指側）とで非対称形な人間の足に、よりよくフィットするように形状を調整する試みもなされている。
【０００３】
しかし人間の足の形状は、踵や爪先のみが内側と非対称なのではない。たとえば足の踵に近接した箇所においては、一般に親指側の側面（内側）のほうが大きく窪んでいるため、小指側の側面（外側）よりも表面積が大きくなっている。このため、従来の靴下のようにかかと部とつま先部の間の足部の形状が左右で対称形であるものは、その箇所において足の形状に合致せず、装着した際のフィット感が悪い問題がある。
【０００４】
また従来の丸編み機で一体編成された靴下では、足部の裏側と脚部の後側との間にかかと部が介在することで、足部と脚部とが屈曲しているが、その足部と脚部とのなす角度は、足部の甲側から見た場合に９０度を大きく超えている（鈍角である）。しかし、人間の脚と足とはほぼ直角をなしているため、この靴下の屈曲角度が足と脚とのなす角度に対応しておらず、この点でも装着した際のフィット感が悪い問題がある。
【先行技術文献】
【特許文献】
【０００５】
【特許文献１】特開２００３−０８２５０１号公報
【発明の概要】
【発明が解決しようとする課題】
【０００６】
そこで本発明の解決すべき課題は、丸編み機で一体に編成された靴下の足部の左右の形状を、人間の足の形状に合致するようにし、これと同時に、靴下の足部と脚部との屈曲角度を、人間の足と脚とのなす角度に近づけることである。
【課題を解決するための手段】
【０００７】
上記課題を解決するため、本発明の靴下では、その足部に、丸編み機のシリンダを往復動させることで編成される継ぎ足し領域を、かかと部に近接しかつかかと部から離間した箇所の足甲側および足裏側のうち足裏側にのみ設け、この継ぎ足し領域において、足部の親指側の側面の面積が、足部の小指側の側面の面積よりも大きい構成としたのである。
【０００８】
靴下の足部のかかと部に近接した箇所に設けた継ぎ足し領域において、靴下の中心線から見て親指側の側面の面積を小指側の側面の面積よりも大きく編成したので、親指側の側面のほうが大きく窪んでおり小指側の側面よりも表面積が大きい人間の足の踵に近接した箇所の形状に合致し、装着した際の足の内側と外側におけるフィット感が向上する。
靴下の足部の、かかと部に近接する箇所の足甲側と足裏側のうち、足裏側にのみ継ぎ足し領域を設けたため、足部の脚部に対する足部の甲側から見た屈曲角度がより小さくなって垂直へと近づき、装着した際の足と脚との境界におけるフィット感が向上する。
【０００９】
本発明の靴下の継ぎ足し領域は、足部の親指側の側面では、かかと部からつま先部に向けてウェール方向の目数が増加しており、足部の小指側の側面では、かかと部からつま先部に向けてまずウェール方向の目数が増加し次いでウェール方向の目数が減少しているのが好ましい。
【００１０】
このようにすると、継ぎ足し領域の外縁がつま先方向に対して傾斜しているため、これらの外縁がつま先方向と平行である場合と比較して、足部の他の筒状に編成された部位との境界箇所が滑らかに繋がれやすい。そのため、継ぎ足し領域と足部の他の箇所との境界箇所に、凹凸や皺、襞などが発生することが防止され、装着した際のフィット感が一層向上する。
【発明の効果】
【００１１】
本発明の靴下を以上のように構成することで、足部の左右の形状が人間の足の左右形状に合致したものができ、これと同時に、靴下の足部と脚部との屈曲角度が、人間の足と脚とのなす角度に近づけることができるようになった。
【図面の簡単な説明】
【００１２】
【図１】実施形態の靴下の（ａ）は内側（親指側）側面図、（ｂ）は外側（小指側）側面図
【図２】（ａ）は実施形態の靴下の展開図、（ｂ）は（ａ）の靴下と丸編み機のシリンダとの対応関係を示す図
【発明を実施するための形態】
【００１３】
以下、図面を参照しつつ本発明の実施形態について説明する。
【００１４】
図１および図２のように、実施形態の靴下１は、足を挿し入れる筒形の履き口１０と、脚のすねからふくらはぎにかけて全周が収まる筒形の脚部２０と、を有する。
さらに実施形態の靴下１は、足のかかとが収まる椀型のかかと部３０と、足の甲から足裏にかけて全周が収まる筒形の足部４０と、足指が収まる扁平なつま先部５０と、を有する。
【００１５】
これら履き口１０、脚部２０、かかと部３０、足部４０、およびつま先部５０は、丸編み機を用いて全体としてほぼ筒型になるように、一体に編成されている。
さらに、かかと部３０およびつま先部５０にはゴアライン３１、５１が形成されており、またつま先部５０には開口を塞いでなるリンキングライン５２が形成されている。
履き口１０、脚部２０、かかと部３０およびつま先部５０の構造については、汎用されている靴下と同様であるため、詳しい説明は省略する。
【００１６】
足部４０は、通常の筒状の箇所と、短冊状の継ぎ足し領域４１と、からなる。
継ぎ足し領域４１は、足部４０のかかと部３０に対して間隔をあけて近接する箇所において、足甲側から足裏側にかけての全周のうち、約半周に相当する足裏側にのみ設けられている。また継ぎ足し領域４１は、幅（コース方向の長さ）が狭く設けられている。
継ぎ足し領域４１の幅は、特に限定されないが、足部４０の全長（コース方向の長さ）の１／１０〜１／５程度が例示できる。
継ぎ足し領域４１とかかと部３０の間には、足部４０の通常の筒形に編成された箇所として、幅（コース方向の長さ）の狭いスペーサ部４２が形成されている。すなわち、継ぎ足し領域４１とかかと部３０とは、スペーサ部４２の幅に相当する間隔が空けられている。
スペーサ部４２の幅は、特に限定されないが足部４０の全長（コース方向の長さ）の１／１０以下程度が例示できる。
【００１７】
図１（ａ）のように、継ぎ足し領域４１は、靴下１の内側（親指側）の側面においては、かかと部３０からつま先部５０に向けてその高さ（ウェール方向の長さ）が単調に増加している。
これにより、靴下１の内側の側面において、継ぎ足し領域４１の上縁４１ａは直角三角形の斜辺のような外観を呈しており、つま先部５０に向けて上り勾配に傾斜している。
【００１８】
一方、図１（ｂ）のように、継ぎ足し領域４１は、靴下１の外側（小指側）の側面においては、かかと部３０からつま先部５０に向けて、まずその高さ（ウェール方向の長さ）が単調に増加し、次いでその高さが単調に減少している。
これにより、靴下１の外側の側面において、継ぎ足し領域４１の上縁４１ｂは二等辺三角形の等辺のような外観を呈しており、つま先部５０に向けて、まず上り勾配に傾斜し、次いで下り勾配に前記上り勾配とほぼ同じ傾斜角度で傾斜している。
【００１９】
図１および図２の（ａ）と（ｂ）とを対比すれば明らかなように、継ぎ足し領域４１は、靴下１の内側（親指側）の側面のほうが外側（小指側）の側面の面積よりも大きく形成されている。
すなわち、図２（ａ）において、継ぎ足し領域４１の靴下１の中心線となるラインＣよりも内側の面積は、ラインＣよりも外側の面積よりも大きくなっている。
継ぎ足し領域４１の内側と外側との面積の差は特に限定されないが、靴下１が伸縮していない状態で、数ｍｍ２〜数ｃｍ２が例示できる。また、継ぎ足し領域４１の内側と外側のウェール方向の編目の数の差も特に限定されないが、同一のコース上において数個〜数十個が例示できる。
【００２０】
実施形態の靴下１では、足部４０の足裏側に、かかと部３０に近接して継ぎ足し領域４１を継ぎ足したため、このような継ぎ足し領域４１が存在しない場合に比べて、足部４０（足部の大部分）と脚部２０とのなす足部４０の甲側から見た屈曲角度を小さくすることができる。
したがって、靴下１の足部４０と脚部２０との屈曲角度を、従来の靴下のような鈍角から人間の足の脚に対する角度である約９０度へと近づけることができ、装着時における足の付け根部分のフィット感を高めることができる。
【００２１】
同時に実施形態の靴下１では、その足部４０のかかと部３０に近接した継ぎ足し領域４１は、靴下の中心線から見て内側（親指側）の側面の面積が外側（小指側）の側面の面積よりも大きいため、靴下全体においても、その足部４０における内側の側面の表面積が外側の側面の表面積よりも大きい非対称形となっている。
したがって、親指側の側面が小指側の側面よりも通常は大きい人間の足の特にかかとに近接した個所の形状に近づけることができ、装着時における足の左右箇所のフィット感を高めることができる。
【００２２】
ここで足部４０の継ぎ足し領域４１の上縁４１ａ、４１ｂは、内側（親指側）と外側（小指側）のいずれにおいても、つま先部５０の方向に対して傾斜しているため、上縁が傾斜していない場合、すなわちつま先部５０の方向と平行の場合に比べて、足部４０の他の箇所との境界を繋ぎやすくなっている。
これにより、足部４０の側面に意図しない凹凸、皺、襞等が形成されるのが防止され、それら凹凸等が形成されることにともなうフィット感の低下を防止することができる。
【００２３】
このような実施形態の靴下１は、丸編機を用いて以下のようにして編成される。
図２に示すように、まず丸編機のシリンダｃを一方向に連続回転させながら全周の編針を作動させ履き口１０および脚部２０を筒形に順に編成してゆく。
【００２４】
脚部２０の編成を終えると、図２のシリンダｃのＢからＣをへてＤまでの範囲の編針のみを作動させ、シリンダｃを約半周で往復動させて編成を続行する。
このとき、まず端部の編針を漸次休止させて、編幅を減じながら台形の編地を編成し、終点においてはＢおよびＣの中間箇所からＣおよびＤの中間箇所までの範囲で編成する。次いで端部の編針をＢからＣを経てＤまでの範囲にいたるまで漸次再作動させて、編幅を増しながら前記台形の編地と対称形の編地を編成する。
ここで図２に示す両台形の編地の側縁３１、３１同士は、連続的に編成されてゴアライン３１を形成しているため、椀状のかかと部３０が編成されることになる。
【００２５】
かかと部３０の編成を終えると、ふたたびシリンダｃを一方向に連続回転させながら全周の編針を作動させて足部４０を筒形に編成してゆく。
ここで、図２の脚部２０の終端２１と足部４０の始端４３とは、連続的に編成されて連係部２１、４３となっている。
【００２６】
足部４０の編成時には、いったん上述のようにシリンダｃを一方向に連続回転させてスペーサ部４２を筒形に編成した後に、継ぎ足し領域４１の編成へと移る。継ぎ足し領域４１の編成が終わると、再び上述のようにシリンダｃを一方向に連続回転させて足部４０の残余の箇所を筒形に編成する。
なお、スペーサ部４２と継ぎ足し領域４１および足部の残余の箇所との対向縁は、図２では、離間して図示しているが、実際には連続的に編成されているものとする。
【００２７】
継ぎ足し領域４１は、図２のシリンダｃのＢ、Ｃ、ＤからＤとＥの中間地点までの範囲の編針のみを作動させ、シリンダを約３／8周で往復動させて編成をおこなう。
ここで、足部４０の内側においては、端部の編針をＣからＤまでの範囲から、ＣからＤとＥの中間地点までの範囲へと、漸次増加させながら編成をしてゆく、これにより、継ぎ足し領域４１の全体のうち内側の半部は、台形状に編成される。
一方、足部４０の外側においては、端部の編針をＣからＢとＣの中間地点までの範囲から、ＣからＢまでの範囲へと漸次増加させ、次いで、ＣからＢとＣの中間地点までの範囲へと漸次減少させながら編成してゆく。これにより継ぎ足し領域４１の全体のうち外側の半部は、五角形状（ホームベース状）に編成される。
ここで図２からもわかるように、継ぎ足し領域４１では、同一コース上における足部４０の親指側の側面のウェール方向の目数が、小指側の側面のウェール方向の目数よりも常に多くなっている。
【００２８】
足部４０の編成を終えると、図２のシリンダのＢからＣをへてＤまでの範囲の編針のみを作動させ、シリンダｃを約半周で往復動させて編成を続行する。
かかと部３０を編成した際と同様に、まず端部の編針を漸次休止させて編幅を減じながら台形の編地を編成し、次いで端部の編針をＢからＣをへてＤまでの範囲へと漸次再作動させて、編幅を増しながら前記台形の編地と対称形の編地を編成する。
ここで図２に示す両台形の編地の側縁５１、５１同士は、連続的に編成されて靴下１の両側部に現れるゴアライン５１を形成している。
最後に、つま先部５０から足部４０にかけての開口縁５２、４４を縫い閉じることでリンキングライン５２、４４が形成される。
【００２９】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００３０】
靴下の継ぎ足し領域４１の形状は、実施形態に限定されず、内側の側面の面積が外側の側面の面積よりも大きくなるように編成されていればよい。
たとえば、継ぎ足し領域４１の上縁の形状を、両方とも図１（ａ）のような直角三角形の斜辺のような形状としたり、両方とも図１（ｂ）のような二等辺三角形の等辺のような形状としたりして、その高さ（ウェール方向の長さ）のみが、内側の側面が外側の側面よりも大きいように形成してもよい。
継ぎ足し領域４１の上縁は、継ぎ足し領域４１の形状が矩形となるように、つま先部５０の方向とほぼ平行に形成してもよく、またウェール方向の目数の増減を繰り返してギザギザ状に形成してもよい。
継ぎ足し領域４１のウェール方向の長さは、図示したものに限定されず、シリンダｃの概ね半周の範囲で編成される限り、多少の範囲の増減は許容される。特に限定されるものではないが、１／３〜５／９周が例示できる。
【００３１】
実施形態では、かかと部３０やつま先部５０を、従来と同様に左右対称形に編成しているが、それぞれ人間の足のかかとの形状やつま先の形状に合致するように、左右非対称形に編成してもよい。つま先部５０は、人間の足指に対応して分岐する足袋タイプの形状としたり、開口して足指が外に出るタイプの形状としたりしてもよい。
実施形態では、脚部２０の比較的長いタイプの靴下１を例示しているが、脚部２０のほとんど無いいわゆるアンクル丈のものとしてもよい。
靴下１の素材、編み方は合成繊維、天然繊維、平編、ゴム編等に特に限定されないし、部位ごとに編み方を変えたりしてもよい。
【符号の説明】
【００３２】
１  靴下
１０  履き口
２０  脚部
２１  連係部
３０  かかと部
３１  ゴアライン
４０  足部
４１  継ぎ足し領域
４１ａ  内側上縁
４１ｂ  外側上縁
４２  スペーサ部
４３  連係部
４４  リンキングライン
５０  つま先部
５１  ゴアライン
５２  リンキングライン
ｃ  シリンダ
【図１】
2015030958.tif 000003
【図２】
2015030958.tif 000004